(57)【要約】      （修正有）【課題】太陽光発電装置等の基礎や支柱の形成作業を軽微な労力、時間、費用でできる型枠を提供する。【解決手段】太陽光発電装置の設置等に用いられ、支柱３を取付ける基礎をコンクリートで地上に形成するための型枠５において、コンクリートを投入する中空部を有する型枠本体６に支持脚７を高さ調節可能に設けるとともに、型枠本体６に支柱３を高さ調節可能に保持する支柱保持具８を設ける。【選択図】図２
2014141824.tif 000002
【特許請求の範囲】
【請求項１】
地上に載置した型枠を用いてコンクリートを打設して基礎を形成するとともに、基礎に支柱を取付け、支柱で太陽光発電パネルを支持する太陽光発電装置において、
型枠は、コンクリートを投入する中空部を有する型枠本体に支持脚を高さ調節可能に設けるとともに、型枠本体に支柱を高さ調節可能に保持する支柱保持具を設けたことを特徴とする太陽光発電装置。
【請求項２】
地上に載置した型枠を用いてコンクリートを打設して基礎を形成するとともに、基礎に支柱を取付け、支柱で太陽光発電パネルを支持する太陽光発電装置の設置工法において、
型枠は、コンクリートを投入する中空部を有する型枠本体に支持脚を高さ調節可能に設けるとともに、型枠本体に支柱を高さ調節可能に保持する支柱保持具を設けたことを特徴とする太陽光発電装置の設置工法。
【請求項３】
支柱を取付ける基礎をコンクリートで地上に形成するための型枠において、
コンクリートを投入する中空部を有する型枠本体に支持脚を高さ調節可能に設けるとともに、型枠本体に支柱を高さ調節可能に保持する支柱保持具を設けたことを特徴とする型枠。
【発明の詳細な説明】
【技術分野】
【０００１】
本発明は、地上に載置した型枠を用いてコンクリートを打設して基礎を形成するとともに、基礎に支柱を取付け、支柱で太陽光発電パネルを支持する太陽光発電装置及び太陽光発電装置の設置工法並びに太陽光発電装置の設置等に用いられる型枠に関するものである。
【背景技術】
【０００２】
近年、環境汚染や安全性を重要視し、メガソーラーなどと称される太陽光発電所が建設されている。この太陽光発電所では、非常に多くの太陽光発電パネルを同一の方向に向けて取付けた太陽光発電装置を地上に設置する必要がある。
【０００３】
従来、太陽光発電装置は、地上を平坦に整地した後に、地上に複数個の所定形状の型枠を載置し、各型枠にコンクリートを打設して所定形状の基礎を形成し、各基礎に所定高さの支柱を取付け、支柱の所定高さ位置に太陽光発電パネルを取付けるようにしている（たとえば、特許文献１参照。）。
【先行技術文献】
【特許文献】
【０００４】
【特許文献１】特開２０１１−８２２７３号公報
【発明の概要】
【発明が解決しようとする課題】
【０００５】
上記したように太陽光発電所を建設する場合には、太陽光発電装置を設置する地上を平坦に整地する必要があった。
【０００６】
ところが、太陽光発電所を建設する土地は、必ずしも平地ではないために、地上を平坦に整地するのに多大な労力や時間や費用を要していた。
【課題を解決するための手段】
【０００７】
そこで、請求項１に係る本発明では、地上に載置した型枠を用いてコンクリートを打設して基礎を形成するとともに、基礎に支柱を取付け、支柱で太陽光発電パネルを支持する太陽光発電装置において、型枠は、コンクリートを投入する中空部を有する型枠本体に支持脚を高さ調節可能に設けるとともに、型枠本体に支柱を高さ調節可能に保持する支柱保持具を設けることにした。
【０００８】
また、請求項２に係る本発明では、地上に載置した型枠を用いてコンクリートを打設して基礎を形成するとともに、基礎に支柱を取付け、支柱で太陽光発電パネルを支持する太陽光発電装置の設置工法において、型枠は、コンクリートを投入する中空部を有する型枠本体に支持脚を高さ調節可能に設けるとともに、型枠本体に支柱を高さ調節可能に保持する支柱保持具を設けることにした。
【０００９】
また、請求項３に係る本発明では、支柱を取付ける基礎をコンクリートで地上に形成するための型枠において、コンクリートを投入する中空部を有する型枠本体に支持脚を高さ調節可能に設けるとともに、型枠本体に支柱を高さ調節可能に保持する支柱保持具を設けることにした。
【発明の効果】
【００１０】
そして、本発明では、支柱を取付ける基礎をコンクリートで地上に形成するための型枠において、コンクリートを投入する中空部を有する型枠本体に支持脚を高さ調節可能に設けるとともに、型枠本体に支柱を高さ調節可能に保持する支柱保持具を設けているために、地上を平坦に整地することなく凹凸や傾斜などがある状態のままでも所定の基礎を形成するとともに基礎に所定高さの支柱を同時に設けることができ、基礎や支柱の形成作業に要する労力や時間や費用を軽減することができる。
【図面の簡単な説明】
【００１１】
【図１】本発明に係る太陽光発電装置を示す斜視図。
【図２】型枠を示す正面図。
【図３】同平面図。
【図４】同左側面図。
【発明を実施するための形態】
【００１２】
以下に、本発明に係る太陽光発電装置及び太陽光発電装置の設置工法並びに太陽光発電装置の設置等に用いられる型枠の具体的な構成について図面を参照しながら説明する。
【００１３】
図１に示すように、太陽光発電装置１は、地上にコンクリートで複数個の箱型状の基礎２を形成し、各基礎２に上下に垂直に伸延させた支柱３を取付け、複数の支柱３で１枚の太陽光発電パネル４を所定の方向に向けて支持している。
【００１４】
それぞれの基礎２は、地上に載置した型枠５を用いてコンクリートを打設することで形成しており、基礎２の形成と同時に基礎２に支柱３を取付けている。
【００１５】
型枠５は、図２〜図４に示すように、型枠本体６に４個の支持脚７と１個の支柱保持具８を取付けた構成となっている。
【００１６】
型枠本体６は、一定の高さを有するとともに、平面視で縦長長方形状に形成して、コンクリートを投入するための箱型状の中空部９を形成している。この中空部９の容積（幅や奥行や高さ）は、基礎２として必要となる最小限の設計値としている。
【００１７】
支持脚７は、型枠本体６の隅部にブラケット10を取付け、ブラケット10に上下に垂直に伸延させたボルト11を螺着し、ボルト11の下端部に座体12を揺動自在に取付けている。
【００１８】
そして、支持脚７は、ボルト11を回転させることで、座体12を型枠本体６の下端よりも上方位置と下方位置との間で移動させることができ、高さ調節を行うことができるようになっている。
【００１９】
支柱保持具８は、左右に水平に伸延させた保持具本体13の左右端部に上下に垂直に伸延させた脚体14,15をボルト16,17で着脱自在に取付けるとともに、保持具本体13の中央上部に平面視で略Ｕ字状のクランプベース18を垂直に取付け、クランプベース18の左右のクランプ片19,20にボルト21,22を外側から内側に向けて螺着し、各ボルト21,22の端部にクランプ体23,24を揺動自在に取付けている。
【００２０】
そして、支柱保持具８は、支柱３を任意の高さでクランプベース18に当接させた状態で左右のクランプ体23,24で挟持することで、支柱３を高さ調節可能に保持することができるようになっている。
【００２１】
この支柱保持具８は、型枠本体６の長辺の中途部に前後に間隔をあけて取付けられた前後一対の断面略Ｌ字状のガイド25,26,27,28の間に左右の脚体14,15を取付けることで型枠本体６に着脱自在に装着される。
【００２２】
そして、支柱保持具８は、型枠本体６に装着された状態では、型枠本体６の長辺の中途部を左右の脚体14,15で挟持することになり、型枠本体６の中空部９にコンクリートが投入された際にコンクリートの重量で型枠本体６の長辺が外側に張り出すように変形するのを防止することができるようにもなっている。
【００２３】
型枠５は、以上に説明したように構成しており、基礎２を形成する際には、まず、型枠本体６の上端が水平となるように各支持脚７の高さを調節して地上に型枠本体６を載置する。なお、各型枠５の型枠本体６や支柱保持具８に水準器を取付けておいてもよい。
【００２４】
その後、支柱保持具８のクランプベース18に当接させながら支柱３の高さを調節して、クランプ体23,24で支柱３を保持する。
【００２５】
その後、型枠本体６の下端に形成された地面との間隙を板や石や土砂などの資材で閉塞し、型枠本体６の中空部９にコンクリートを打設する。これにより、地上に設計上で必要となる最小限の容積又はそれ以上の容積の基礎２を形成することができるとともに、基礎２の形成と同時に基礎２に支柱３を任意の高さで垂直に取付けることができる。複数の支柱３の高さを適宜調節して基礎２に形成することで、支柱３に太陽光発電パネル４を所定の方向に向けて取付けることができる。
【００２６】
以上に説明したように、本発明では、支柱３を取付ける基礎２をコンクリートで地上に形成するための型枠５において、コンクリートを投入する中空部９を有する型枠本体６に支持脚７を高さ調節可能に設けるとともに、型枠本体６に支柱３を高さ調節可能に保持する支柱保持具８を設けた構成としている。
【００２７】
そのため、本発明では、地上を平坦に整地することなく凹凸や傾斜などがある状態のままでも所定の基礎２を形成するとともに基礎２に所定高さの支柱３を同時に設けることができ、基礎２や支柱３の形成作業に要する労力や時間や費用を軽減することができる。
【符号の説明】
【００２８】
１  太陽光発電装置                      ２  基礎
３  支柱                                ４  太陽光発電パネル
５  型枠                                ６  型枠本体
７  支持脚                              ８  支柱保持具
９  中空部                              10  ブラケット
11  ボルト                              12  座体
13  保持具本体                          14,15  脚体
16,17  ボルト                           18  クランプベース
19,20  クランプ片                       21,22  ボルト
23,24  クランプ体                       25,26,27,28  ガイド
【図１】
2014141824.tif 000003
【図２】
2014141824.tif 000004
【図３】
2014141824.tif 000005
【図４】
2014141824.tif 000006
【手続補正書】
【提出日】平成25年6月6日(2013.6.6)
【手続補正１】
【補正対象書類名】特許請求の範囲
【補正対象項目名】全文
【補正方法】変更
【補正の内容】
【特許請求の範囲】
【請求項１】
地上に載置した型枠を用いてコンクリートを打設して基礎を形成するとともに、基礎に支柱を取付け、支柱で太陽光発電パネルを支持する太陽光発電装置において、
型枠は、コンクリートを投入する中空部を有する型枠本体に支持脚を高さ調節可能に設けるとともに、型枠本体に支柱を高さ調節可能に保持する支柱保持具を設け、支柱保持具は、支柱を保持する保持具本体の左右に脚体を着脱自在に取付け、左右の脚体で型枠本体の外側を挟持することを特徴とする太陽光発電装置。
【請求項２】
地上に載置した型枠を用いてコンクリートを打設して基礎を形成するとともに、基礎に支柱を取付け、支柱で太陽光発電パネルを支持する太陽光発電装置の設置工法において、
型枠は、コンクリートを投入する中空部を有する型枠本体に支持脚を高さ調節可能に設けるとともに、型枠本体に支柱を高さ調節可能に保持する支柱保持具を設け、支柱保持具は、支柱を保持する保持具本体の左右に脚体を着脱自在に取付け、左右の脚体で型枠本体の外側を挟持することを特徴とする太陽光発電装置の設置工法。
【請求項３】
支柱を取付ける基礎をコンクリートで地上に形成するための型枠において、
コンクリートを投入する中空部を有する型枠本体に支持脚を高さ調節可能に設けるとともに、型枠本体に支柱を高さ調節可能に保持する支柱保持具を設け、支柱保持具は、支柱を保持する保持具本体の左右に脚体を着脱自在に取付け、左右の脚体で型枠本体の外側を挟持することを特徴とする型枠。
【手続補正２】
【補正対象書類名】明細書
【補正対象項目名】０００７
【補正方法】変更
【補正の内容】
【０００７】
そこで、請求項１に係る本発明では、地上に載置した型枠を用いてコンクリートを打設して基礎を形成するとともに、基礎に支柱を取付け、支柱で太陽光発電パネルを支持する太陽光発電装置において、型枠は、コンクリートを投入する中空部を有する型枠本体に支持脚を高さ調節可能に設けるとともに、型枠本体に支柱を高さ調節可能に保持する支柱保持具を設け、支柱保持具は、支柱を保持する保持具本体の左右に脚体を着脱自在に取付け、左右の脚体で型枠本体の外側を挟持することにした。
【手続補正３】
【補正対象書類名】明細書
【補正対象項目名】０００８
【補正方法】変更
【補正の内容】
【０００８】
また、請求項２に係る本発明では、地上に載置した型枠を用いてコンクリートを打設して基礎を形成するとともに、基礎に支柱を取付け、支柱で太陽光発電パネルを支持する太陽光発電装置の設置工法において、型枠は、コンクリートを投入する中空部を有する型枠本体に支持脚を高さ調節可能に設けるとともに、型枠本体に支柱を高さ調節可能に保持する支柱保持具を設け、支柱保持具は、支柱を保持する保持具本体の左右に脚体を着脱自在に取付け、左右の脚体で型枠本体の外側を挟持することにした。
【手続補正４】
【補正対象書類名】明細書
【補正対象項目名】０００９
【補正方法】変更
【補正の内容】
【０００９】
また、請求項３に係る本発明では、支柱を取付ける基礎をコンクリートで地上に形成するための型枠において、コンクリートを投入する中空部を有する型枠本体に支持脚を高さ調節可能に設けるとともに、型枠本体に支柱を高さ調節可能に保持する支柱保持具を設け、支柱保持具は、支柱を保持する保持具本体の左右に脚体を着脱自在に取付け、左右の脚体で型枠本体の外側を挟持することにした。